(57)【要約】【課題】  解決しようとする問題点は、不正開封の防止や不正に剥離された後、貼り直すことが難しい構成や機構で有り、また、開封された事実を外観から簡便に判別することが可能な簡素な構成が施されていることで有る。尚且つ、貼付対象物に貼り付けされたシールを開封したり、不正に剥離した場合、その貼り付けされたシールが、開封や不正に剥離したことによるシールの破断箇所が、被貼り付け物に残る欠点を無くす目的である。【解決手段】このシール１は、被貼り付け物より開封や剥離した場合、シール１の弱粘着剤５と紙質材６と切り込み３乃至切り込みの不切部４の複合作用により、シール１の紙質材６の破断箇所の発生を受け、剥離された事実を外観から簡便に判別することができる。【選択図】  図１
2005338495.tif 000002
【特許請求の範囲】
【請求項１】
基材シール裏面の粘着面にＪＩＳ粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールであって、前記シールの辺端より所定の幅を有する周縁を形成する切り込みを設け、該切り込みには、所定の間隔に不切部が設けられていることを特徴とするシール。
【請求項２】
基材シール裏面の粘着面にＪＩＳ粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールに、前記基材シールの裏面に剥離紙を具備したシールの製造方法であって、前記シールの辺端より所定の幅を有する周縁を形成する切り込みを設ける工程と、該切り込みには、所定の間隔に不切部とを設ける工程と、前記シールの一角に剥離起点の表示乃至切り込みを設ける工程とを有することを特徴とするシールの製造方法。
【請求項３】
基材シール裏面の粘着面にＪＩＳ粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールに、前記基材シールの裏面に剥離紙を具備したシールに、前記シールの辺端より所定の幅を有する周縁を形成する切り込みを設け、該切り込みには、所定の間隔に不切部が設けられているシールの使用方法であって、前記剥離紙と貼着している前記シールを前記剥離紙から剥離する場合、前記シールの前記切り込みに因るシールの破断を受けない程度の剥離可能となるように前記弱粘着剤と前記基材シールの紙質材が組合せ構成されると共に、前記シールの一角に剥離起点の表示乃至切り込みが設けられていることを特徴とするシールの使用方法。
【発明の詳細な説明】
【技術分野】
【０００１】  本発明は、郵便、通信、食品、医薬品，化粧品等の書類や包装品の流通過程における不正使用や不正開封等の行為を防止するためのシール、その製造方法及び使用方法に関する。
【背景技術】
【０００２】本発明者の特許出願した先願（特願２００３−１４５７７９号）のシークレット葉書に用いられるシールや特開２００３−２６２４０の切り込みを用いた封緘用ラベルは、シール（ラベル）構成に於いて、２種類の粘着材を用いたり、多数工程も要する製作構造に成っているものであったり、或いは、貼付対象物に貼り付けされた封緘用シールを開封した場合、その封緘用シールの破断箇所が、被貼り付け物に残る欠点が有った。これは、被貼り付け物に貼着されたシールの粘着剤が、被貼り付け物より剥離し難い粘着力を保持している為で有った。【０００３】また、他の手段において、フィルム裏面（フィルムと接着剤層との界面等）に「隠し印刷」を施しておき、ラベルを引き剥がすと、隠し印刷の文字／記号（例えば「開封済み」のメッセージ等）が浮き出るようにしたラベルが提案されている。これらの方法は、不正に剥離された場合、開封された事実を外観から容易に判別することができる封緘用シールの使用目的を達成する為に、製作工程の多い高価なシールと成っていた。
【発明の開示】
【発明が解決しようとする課題】
【０００４】本発明によるシールは、不正開封の防止や不正に剥離された後、貼り直すことが難しい構成や機構で有り、また、開封された事実を外観から簡便に判別することが可能な簡素な構成が施されていることで有る。尚且つ、被貼り付け物に貼り付けされたシールを開封したり、不正に剥離した場合、その貼り付けされたシールが、開封や不正に剥離したことによるシールの破断箇所が、被貼り付け物に残る欠点を無くすシール、その製造方法及び使用方法を提供する。
【課題を解決するための手段】
【０００５】  本発明によるシールは、剥離紙（セパレータ）がシールに貼着して具備され、前記シールを前記剥離紙から剥離する場合、前記シールに設けられている切り込みに因るシールの破断を受けない程度に剥離可能にした前記シールに塗布されている再剥離用の弱粘着剤と前記シールの基材である紙質材との相互作用と組合せにより形成される。【０００６】すなわち、本発明によるシールに形成されているこれらの切り込み、弱粘着剤や基材シールの紙質材の組み合わせ構成に因り、シールを剥離紙からは剥がす場合、前記シールに設けられている切り込みや切り込みに併設されて有る不切部による破断が発生せず、シールの原形を保持して取り出せる。【０００７】次に、剥がしたシールを被貼り付け物に貼り付けると、シール粘着面は、剥離紙面に対するよりも被貼り付け物の面に対する弱粘着剤による粘着力の保持力が増大され、貼着物のシールとして利用される。【０００８】次に、貼り付けたシールを剥がす場合、再剥離可能なシール面の弱粘着剤に因り、シールは、被貼り付け物より剥離できるが、シールに形成されている切り込みに併設されて有る不切部のみが、弱粘着剤の粘着力による破断を受け、シールは、再利用できないシール面の破断箇所の発生を受け、剥離された事実を外観から簡便に判別することができる。【０００９】上記の本発明を実現させる請求項１記載のシールは、基材シール裏面の粘着面にＪＩＳ粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールに、前記シールの辺端より所定の幅を有する周縁を形成する切り込みを設け、該切り込みには、所定の間隔に不切部とを設ける。【００１０】  次に請求項２記載のシール製造は、基材シール裏面の粘着面にＪＩＳS粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールに、前記基材シールの裏面に剥離紙を具備したシールの製造方法であって、前記シールの辺端より所定の幅を有する周縁を形成する切り込みを設ける工程と、該切り込みには、所定の間隔に不切部とを設ける工程を有するシールの製造方法を構成する。【００１１】次に請求項３記載のシールの使用方法は、基材シール裏面の粘着面にＪＩＳ粘着力・S１系単位  １N／２５mm乃至２４時間後、２．９N／２５mmでボールタックN０．７の強度の弱粘着剤を用い、前記基材シールの基材には紙厚５２．３ｇ／平米乃至１０４．７ｇ／平米の紙質材を用いた基材シールに、前記基材シールの裏面に剥離紙を具備したシールに、前記シールの辺端より所定の幅を有する周縁を形成する切り込みを設け、該切り込みには、所定の間隔に不切部が設けられているシールの使用方法であって、前記剥離紙と貼着している前記シールを前記剥離紙から剥離する場合、前記シールの前記切り込みに因るシールの破断を受けない程度の剥離可能となるように前記弱粘着剤と前記基材シールの紙質材が組合せ構成されると共に、前記シールの一角に剥離起点の表示乃至切���込みを設けてするシールの使用方法を構成する。
【発明の効果】
【００１２】本発明によるシールは、その製作工程の簡素化、製作コストの大幅な削減、及び、使用方法の簡便性と有効な要素を大幅に満たしており、従来の強粘着剤による被貼り付け物への封緘用シールの開封や剥離後の残留物が残る欠点を無くした特性を顕著にする。これらの顕著な利点を有するため、多目的な用途、例えば、本発明者が特許出願した「シークレット葉書」のシークレット用シールとしても利用できるなど幅広い用途に合致する。
【発明を実施するための最良の形態】
【００１３】  本発明のシールを対象物に貼り付けたシールを剥がす場合、再剥離可能なシール面の弱粘着剤に因り、シールは、被貼り付け物より剥離できるが、シールに形成されている切り込みに併設されて有る不切部のみが、弱粘着剤の粘着力による破断を受けるように構成され、シールは、再利用できないシール面の破断箇所の発生を受け、剥離された事実を外観から簡便に判別することができる。
【実施例】
【００１４】以下、本発明に係るシールは、色々な実施形態で実現でるが、本発明の代表的な実施形態について図を基に詳細に説明する。図１は本発明の請求項１乃至請求項３の一実施例におけるシールの平面を示す図。図２は、前記図１の断面を示す図。【００１５】本発明による請求項１記載の一実施例の図１、図２によれば、シール１は、基材シール裏面の粘着面にＪＩＳ粘着力・S１系単位  １N／２５mm乃至２４時間後、２．９N／２５mmでボールタックN０．７の強度の弱粘着剤５を用い、前記基材シールの基材には紙厚５２．３ｇ／平米乃至１０４．７ｇ／平米の紙質材６を用いた基材シールであって、前記シールの辺端より所定の幅を有する周縁２を形成する切り込み３を設け、該切り込みには、所定の間隔に不切部４が設けられている。【００１６】  次に、本発明によるシール１は、シール１に具備されている剥離紙７と貼着して構成されている。この時、シール１を剥離紙７から剥離する場合、シール１に設けられている切り込み３や切り込み３に併設されて有る不切部４に因るシールの破断発生を受けない程度に剥離可能に形成されている。【００１７】更に、上記のシール１は、シール１の裏面に塗布されている再剥離用の弱粘着剤５とシール１の紙質材６とにおける粘着力と破紙力（紙が破れる力）の組合せによる構成で、シール１は、基材シール裏面の粘着面にＪＩＳ粘着力・S１系単位  １N／２５mm乃至２４時間後、２．９N／２５mmでボールタックN０．７の強度の弱粘着剤５を用い、前記基材シールの基材には紙厚５２．３ｇ／平米乃至１０４．７ｇ／平米の紙質材６を用いた範囲で形成される。【００１８】次に、剥離紙７より剥がしたシール１を被貼り付け物に貼り付けると、シール１の弱粘着剤５は、剥離紙７の貼着面に対する粘着力よりも被貼り付け物の面に対する粘着力の保持力が増大し、貼着物のシール１として利用される。【００１９】次に、貼り付けたシール１を被貼り付け物より剥がす場合、再剥離可能なシール面の弱粘着剤５に因り、シール１は、被貼り付け物より剥離できるが、シール１に形成されている切り込み３により、先に切り込み線に沿って剥離される。この時、切り込み３に併設されて有る不切部４のみが、弱粘着剤５の粘着力により、被貼り付け物の面に保持されているためにシール１の紙質材６の破断箇所の発生を受け、シール１は、再利用できないシール面として形成される。【００２０】一方、被貼り付け物に貼り付けされたこのシール１を開封や剥離した場合、このシール１の破断箇所が、被貼り付け物に残るが、再剥離可能な弱粘着剤５がこのシール１の粘着面に用いられている為に、難なく被貼り付け物より、剥離することができる。【００２１】このシール１は、上記の如く、被貼り付け物より開封や剥離した場合、シール１の弱粘着剤５と紙質材６と切り込み３乃至切り込みの不切部４の相互作用により、シール１の紙質材６の破断箇所の発生を受け、剥離された事実を外観から簡便に判別することができる。【００２２】  本実施形態のシール１を製造する場合、シール１は、基材シール裏面の粘着面にＪＩＳ粘着力・S１系単位  １N／２５mm乃至２４時間後、２．９N／２５mmでボールタックN０．７の強度の弱粘着剤５を用い、前記基材シールの基材に��紙厚５２．３ｇ／平米乃至１０４．７ｇ／平米の紙質材６を用いた基材シールに剥離紙７が貼着して構成されているシートに対し、マイクロカット加工の工程として、切り込み３乃至切り込み３に併設されて有る不切部４を設ける部分と、シール１の一角に剥離起点の表示８乃至切り込み９を設ける部分の形成をする。【００２３】次に、本実施形態のシール１の使用方法について説明する。まず、上記のようにして製造されたシール１は、貼着して有る剥離紙７を具備した１枚のシートとして構成されている。次に、シール１を剥離紙７から剥離するが、この時、シール１は、マイクロカット加工による切り込み３乃至不切部４の影響を受けることなくシール１の原形を保持し剥離され、被貼り付け物に貼り付けられる。【００２４】次に、シール１の被貼り付け物への貼着後、被貼り付け物は、シール１の貼着により、封緘用のシールとして作用する。この時、シール１の表面は、印刷シートとして利用でき、その目的に応じて印刷を施し、多目的シール１として形成される。【００２５】次に、貼り付けたシール１を被貼り付け物より剥がす場合、シール１の一角に設けられている剥離起点の表示８乃至切り込み９から、剥離する。この時、再剥離可能なシール面の弱粘着剤５に因り、シール１は、被貼り付け物より剥離できるが、シール１に形成されている切り込み３により、先に切り込み線に沿って剥離される。次に、切り込み３に併設されて有る不切部４のみが、弱粘着剤５の粘着力により、被貼り付け物の面に保持されているためにシール１の紙質材６の破断箇所の発生を受け、シール１は、再利用できないシール面として形成される。【００２６】一方、被貼り付け物に貼り付けされたこのシール１を開封や剥離した場合、このシール１の破断箇所が、被貼り付け物に残るが、再剥離可能な弱粘着剤５がこのシール１の粘着面に用いられている為に、難なく被貼り付け物より、剥離することができる。
【産業上の利用可能性】
【００２７】このシール１は、被貼り付け物より開封や剥離した場合、シール１の弱粘着剤５と紙質材６と切り込み３乃至切り込みの不切部４の複合作用により、シール１の紙質材６の破断箇所の発生を受け、剥離された事実を外観から簡便に判別することができ、郵便、通信、食品、医薬品，化粧品等の書類や包装品の流通過程における不正使用や不正開封等の行為を防止するために提供される。
【図面の簡単な説明】
【００２８】
【図１】は、本発明の一の実施形態にかかるシールを示す平面図である。
【図２】は、上記実施形態にかかるシールの構造を説明するための断面。
【符号の説明】
【００２９】１  ：  シール２  ：  周縁３  ：  切り込み４  ：  不切部５  ：  弱粘着剤６  ：  紙質材７  ：  剥離紙８  ：  剥離起点の表示９  ：  剥離起点の切り込み  
【図１】
2005338495.tif 000003
【図２】
2005338495.tif 000004